【手続補正書】
【提出日】平成19年8月24日(2007.8.24)
【手続補正１】
【補正対象書類名】明細書
【補正対象項目名】発明の名称
【補正方法】変更
【補正の内容】
【発明の名称】磁気共鳴装置
【手続補正２】
【補正対象書類名】明細書
【補正対象項目名】特許請求の範囲
【補正方法】変更
【補正の内容】
【特許請求の範囲】
【請求項１】  静磁場中に置かれた被検体に存在する所望の水素原子核１Ｈの磁気共鳴信号を収集する磁気共鳴装置において、
前記水素原子核１Ｈの共鳴周波数に相当する周波数の第１の高周波磁場パルスを前記被検体に印加する第１の手段と、この印加後に、前記所望の水素原子核１Ｈと同核種スピン−スピン結合を成す水素原子核１Ｈに第１の周波数選択照射パルスを印加してそれらの水素原子核１Ｈ間の多量子コヒーレンスを生成する第２の手段と、この生成後に、前記共鳴周波数に相当する周波数の第２の高周波磁場パルスを前記被検体に印加する第３の手段と、この印加後に、前記結合を成した水素原子核１Ｈに第２の周波数選択照射パルスを印加して前記所望の水素原子核１Ｈの１量子コヒーレンスを生成する第４の手段と、このコヒーレンス生成に拠って前記所望の水素原子核１Ｈの磁気共鳴信号を収集する第５の手段とを備えたことを特徴とする磁気共鳴装置。
【請求項２】  請求項１記載の磁気共鳴装置において、
前記第２の手段は、（２ｍ＋１）／２ｎ（但し、ｍ＝０，１，２，３，…、ｎは所望の水素原子核１Ｈと結合する１Ｈスピンの数）に相当する時間が前記第１の高周波磁場パルスの印加から経過したときに前記第１の周波数選択照射パルスを印加する手段である磁気共鳴装置。
【請求項３】  請求項１記載の磁気共鳴装置において、
前記第１の周波数選択照射パルスの印加後、前記第２の高周波磁場パルスを印加するまでの期間に第１の勾配磁場パルスを、前記第２の高周波磁場パルスの印加後、前記第２の周波数選択照射パルスを印加するまでの期間に第２の勾配磁場パルスを、及び前記第２の周波数選択照射パルスの印加後、前記磁気共鳴信号の収集開始までの期間に第３の勾配磁場パルスをそれぞれ印加する第６の手段を備え、
前記第１の勾配磁場パルスの勾配磁場強度の時間積分値をＧ１、前記第２の勾配磁場パルスの勾配磁場強度の時間積分値をＧ２、及び第３の勾配磁場パルスの勾配磁場強度の時間積分値をＧ３とするとき、この時間積分値Ｇ１，Ｇ２及びＧ３は、
【数１】
２Ｇ１−２Ｇ２−Ｇ３＝０
の条件を満たすように設定されている磁気共鳴装置。
【請求項４】  請求項１記載の磁気共鳴装置において、
前記第１の高周波磁場パルス及び前記第２の高周波磁場パルスのうち、少なくとも一方はスライス勾配磁場パルスと共に印加されるスライス選択パルスである磁気共鳴装置。
【請求項５】  静磁場中に置かれた被検体に存在する所望の水素原子核１Ｈの磁気共鳴信号を収集する磁気共鳴装置において、
前記水素原子核１Ｈの共鳴周波数に相当する周波数の第１の高周波磁場パルス及び第２の高周波磁場パルスを順に前記被検体に印加する第１の手段と、この印加後に、前記所望の水素原子核１Ｈと同核種スピン−スピン結合を成す水素原子核１Ｈに第１の周波数選択照射パルスを印加してそれらの水素原子核１Ｈ間の多量子コヒーレンスを生成する第２の手段と、この生成後に、前記共鳴周波数に相当する周波数の第３の高周波磁場パルスを前記被検体に印加する第３の手段と、この印加後に、前記結合を成した水素原子核１Ｈに第２の周波数選択照射パルスを印加して前記所望の水素原子核１Ｈの１量子コヒーレンスを生成する第４の手段と、このコヒーレンス生成に拠って前記所望の水素原子核１Ｈの磁気共鳴信号を収集する第５の手段とを備えたことを特徴とする磁気共鳴装置。
【請求項６】  請求項５記載の磁気共鳴装置において、
前記第２の手段は、（２ｍ＋１）／２ｎ（但し、ｍ＝０，１，２，３，…、ｎは所望の水素原子核１Ｈと結合する１Ｈスピンの数）に相当する時間が前記第１の高周波磁場パルスの印加から経過したときに前記第１の周波数選択照射パルスを印加する手段である磁気共鳴装置。
【請求項７】  請求項５記載の磁気共鳴装置において、
前記第１の周波数選択照射パルスの印加後、前記第３の高周波磁場パルスを印加するまでの期間に第１の勾配磁場パルスを、前記第３の高周波磁場パルスの印加後、前記第２の周波数選択照射パルスを印加するまでの期間に第２の勾配磁場パルスを、及び、前記第２の周波数選択照射パルスの印加後、前記磁気共鳴信号の収集開始までの期間に第３の勾配磁場パルスをそれぞれ印加する第６の手段を備え、
前記第１の勾配磁場パルスの勾配磁場強度の時間積分値をＧ１、前記第２の勾配磁場パルスの勾配磁場強度の時間積分値をＧ２、及び第３の勾配磁場パルスの勾配磁場強度の時間積分値をＧ３とするとき、この時間積分値Ｇ１，Ｇ２及びＧ３は、
【数２】
２Ｇ１−２Ｇ２−Ｇ３＝０
の条件を満たすように設定されている磁気共鳴装置。
【請求項８】  請求項５記載の磁気共鳴装置において、
前記第１の高周波磁場パルスから前記第２の高周波磁場パルスまでの時間間隔をτ、前記第１の周波数選択照射パルスから前記第３の高周波磁場パルスまでの時間間隔をｔｍｑ１、前記第３の高周波磁場パルスから前記第２の周波数選択照射パルスまでの時間間隔をｔｍｑ２とするとき、前記第１，第３、及び第４の手段は、
【数３】
−２τ＋２ｔｍｑ１−２ｔｍｑ２＝０
の条件を満たす時間間隔τ、ｔｍｑ１、及びｔｍｑ２でそれぞれパルス印加を行う手段である磁気共鳴装置。
【請求項９】  請求項５記載の磁気共鳴装置において、
前記第１の高周波磁場パルス、前記第２の高周波磁場パルス、及び前記第３の高周波磁場パルスのうち、少なくとも１つはスライス勾配磁場パルスと共に印加されるスライス選択パルスである磁気共鳴装置。
【請求項１０】  静磁場中に置かれた被検体に存在する所望の水素原子核１Ｈの磁気共鳴信号を収集する磁気共鳴装置において、
前記水素原子核１Ｈの共鳴周波数に相当する周波数の第１の高周波磁場パルスを前記被検体に印加する第１の手段と、この印加後に、前記所望の水素原子核１Ｈと同核種スピン−スピン結合を成す水素原子核１Ｈに第１の周波数選択照射パルスを印加してそれらの水素原子核１Ｈ間の多量子コヒーレンスを生成する第２の手段と、この生成後に、前記共鳴周波数に相当する周波数の第２の高周波磁場パルスを前記被検体に印加する第３の手段と、この印加後に、前記結合を成した水素原子核１Ｈに第２の周波数選択照射パルスを印加する第４の手段と、この印加後に、前記共鳴周波数に相当する周波数の第３の高周波磁場パルスを前記被検体に印加して前記所望の水素原子核１Ｈの１量子コヒーレンスを生成する第５の手段と、このコヒーレンス生成に拠って前記所望の水素原子核１Ｈの磁気共鳴信号を収集する第６の手段とを備えたことを特徴とする磁気共鳴装置。
【請求項１１】  請求項１０記載の磁気共鳴装置において、
前記第２の手段は、（２ｍ＋１）／２ｎ（但し、ｍ＝０，１，２，３，…、ｎは所望の水素原子核１Ｈと結合する１Ｈスピンの数）に相当する時間が前記第１の高周波磁場パルスの印加から経過したときに前記第１の周波数選択照射パルスを印加する手段である磁気共鳴装置。
【請求項１２】  請求項１０記載の磁気共鳴装置において、
前記第１の周波数選択照射パルスの印加後、前記第２の高周波磁場パルスを印加するまでの期間に第１の勾配磁場パルスを、前記第２の高周波磁場パルスの印加後、前記第２の周波数選択照射パルスを印加するまでの期間に第２の勾配磁場パルスを、及び、前記第３の高周波磁場パルスの印加後、前記磁気共鳴信号の収集開始までの期間に第３の勾配磁場パルスをそれぞれ印加する第７の手段を備え、
前記第１の勾配磁場パルスの勾配磁場強度の時間積分値をＧ１、前記第２の勾配磁場パルスの勾配磁場強度の時間積分値をＧ２、及び第３の勾配磁場パルスの勾配磁場強度の時間積分値をＧ３とするとき、この時間積分値Ｇ１，Ｇ２及びＧ３は、
【数４】
−２Ｇ１＋２Ｇ２−Ｇ３＝０
の条件を満たすように設定されている磁気共鳴装置。
【請求項１３】  請求項１０記載の磁気共鳴装置において、
前記第１の高周波磁場パルスから前記第１の周波数選択照射パルスまでの時間間隔をｔｐｒｅｐ、前記第１の周波数選択照射パルスから前記第２の高周波磁場パルスまでの時間間隔をｔｍｑ１、及び前記第２の高周波磁場パルスから前記第２の周波数選択照射パルスまでの時間間隔をｔｍｑ２として、前記第２の周波数選択照射パルスと前記第３の高周波磁場パルスとの時間間隔が、前記第３の高周波磁場パルス印加時刻と前記第２の周波数選択照射パルスから前記ｔｐｒｅｐ時間後の時刻との時間間隔と等しいか又はそれ以上である場合、前記第３，第４、及び第５の手段は、
【数５】
−２ｔｍｑ１＋２ｔｍｑ２−２τ＝０
の条件を満たす時間間隔τ、ｔｍｑ１、及びｔｍｑ２でそれぞれパルス印加を行う手段である磁気共鳴装置。
【請求項１４】  請求項１０記載の磁気共鳴装置において、
前記第１の高周波磁場パルスから前記第１の周波数選択照射パルスまでの時間間隔をｔｐｒｅｐ、前記第１の周波数選択照射パルスから前記第２の高周波磁場パルスまでの時間間隔をｔｍｑ１、及び前記第２の高周波磁場パルスから前記第２の周波数選択照射パルスまでの時間間隔をｔｍｑ２として、前記第２の周波数選択照射パルスと前記第３の高周波磁場パルスとの時間間隔が、前記第３の高周波磁場パルス印加時刻と前記第２の周波数選択照射パルスから前記ｔｐｒｅｐ時間後の時刻との時間間隔よりも短い場合、前記第３，第４、及び第５の手段は、
【数６】
−２ｔｍｑ１＋２ｔｍｑ２＋２τ−２ｔｐｒｅｐ＝０
の条件を満たす時間間隔τ、ｔｍｑ１、及びｔｍｑ２でそれぞれパルス印加を行う手段である磁気共鳴装置。
【請求項１５】  請求項１０記載の磁気共鳴装置において、
前記第１の高周波磁場パルス、前記第２の高周波磁場パルス、及び前記第３の高周波磁場パルスのうち、少なくとも１つはスライス勾配磁場パルスと共に印加されるスライス選択パルスである磁気共鳴装置。
【請求項１６】  請求項１〜１５の何れか一項に記載の磁気共鳴装置において、
前記水素原子核１Ｈは、前記被検体内に存在するγ−アミノ酪酸（ＧＡＢＡ）であって、前記所望の水素原子核１Ｈは、ＧＡＢＡ−３に前記結合を成しているＧＡＢＡ−４である磁気共鳴装置。
【手続補正３】
【補正対象書類名】明細書
【補正対象項目名】００２５
【補正方法】変更
【補正の内容】
【００２５】
本発明の目的は、磁気共鳴現象を用いてＪＨＨカップリングした１Ｈの信号を取得する際、システム不安定性に対してロバストであり、高周波磁場パルスの位相調整が不要であり、得られるスペクトルが煩雑ではなく、フリップ角の誤差や高周波磁場分布による信号損に対して強い磁気共鳴装置を提供することにある。
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００９６
【補正方法】変更
【補正の内容】
【００９６】
【発明の効果】
以上説明したように、本発明に係る磁気共鳴装置によれば、高周波磁場パルスの位相を調整することなく、高周波磁場強度の変動等のシステム不安定性に対して安定したスペクトル取得が可能となる。さらに、得られるスペクトルが煩雑ではないため煩雑なスペクトル解析を必要とせず、かつフリップ角の誤差やＲＦ分布による信号損を受けにくいＪＨＨカップリングした１Ｈの磁気共鳴信号を取ることができる。